(57)【要約】【課題】  閲覧者が他のＷｅｂページデータを引用したことを確実に把握し、引用経路、話題性、発展性および展開性の把握を容易に行うネットワークシステムを提供すること。【解決手段】  ネットワークシステムＳは、複数の端末装置１００と、情報提供者によって作成されたＷｅｂページデータの保有する複数のＷｅｂサーバ装置２００と、情報提供者の希望により引用管理を行うＷｅｂページデータが登録された場合に、当該Ｗｅｂページデータが引用された他のＷｅｂページデータとの階層関係およびルートを含めて引用管理を行うルート管理サーバ装置３００と、から構成されており、このルート管理サーバ装置３００は、情報提供者の指示に基づいて、または、当該Ｗｅｂページデータを構成する要素データの引用を希望する閲覧者の指示に基づいて、各Ｗｅｂページデータにリソースデータとして組み込むための固有の引用管理データ列Ｄを発行するようになっている。【選択図】  図１
2007102693.tif 000002
【特許請求の範囲】
【請求項１】
情報提供者によって制作された閲覧者に閲覧させるための閲覧データを、他の閲覧データと識別するための識別情報に基づいて、管理するデータ管理システムであって、
前記閲覧データを前記識別情報に対応付けて記録する記録手段を有し、端末装置からの指示に基づいて前記閲覧データを前記閲覧者に閲覧可能に提供する各データ保有装置と、
前記情報提供者によって提供される第１の閲覧データの少なくとも一部が、当該第１の閲覧データの引用を希望する引用閲覧者によって提供される第２の閲覧データを構築するための要素として当該第２の閲覧データに閲覧可能に組み込まれた場合に、引用される第１の閲覧データまたは第２の閲覧データの少なくとも何れか一方における引用状況を管理するデータ管理装置と、
を備え、
前記データ管理装置が、
前記情報提供者または前記引用閲覧者の少なくても何れか一方の指示に基づいて、当該第１の閲覧データの識別情報である第１識別情報を取得する第１取得手段と、
前記第１の閲覧データから直接的にまたは間接的に第２の閲覧データに引用される際に、前記第２の閲覧データ毎に、前記第２の閲覧データに閲覧可能に組み込むための固有の管理データ列を発行する発行手段と、
前記引用閲覧者が指示した場合、または、第２の閲覧データが他の閲覧者に閲覧された場合の少なくとも何れか一方の場合に、前記発行された管理データ列が組み込まれた第２の閲覧データの識別情報である第２識別情報を取得する第２取得手段と、
前記発行された管理データ列に基づいて、前記第１識別情報および前記第２識別情報をデータベースに登録する際の制御を行う登録制御手段と、
から構成され、
前記発行手段が、前記第２の閲覧データが他の閲覧データに引用される場合に発行される管理データ列の発行の基準となるデータ列であって、当該引用する他の閲覧データに基づく前記第１の閲覧データとの階層関係を示す階層情報を有するデータ列を、前記引用管理データとして、発行することを特徴とするデータ管理システム。
【請求項２】
情報提供者によって制作された閲覧者に閲覧させるための閲覧データを、他の閲覧データと識別するための識別情報に基づいて、管理するデータ管理システムにおいて、
前記情報提供者によって提供される第１の閲覧データの少なくとも一部が、当該第１の閲覧データの引用を希望する引用閲覧者によって提供される第２の閲覧データを構築するための要素として当該第２の閲覧データに閲覧可能に組み込まれた場合に、引用される第１の閲覧データまたは第２の閲覧データの少なくとも何れか一方における引用状況を管理するデータ管理装置であって、
前記情報提供者または前記引用閲覧者の少なくても何れか一方の指示に基づいて、当該第１の閲覧データの識別情報である第１識別情報を取得する第１取得手段と、
前記第１の閲覧データから直接的にまたは間接的に第２の閲覧データに引用される際に、前記第２の閲覧データ毎に、前記第２の閲覧データに閲覧可能に組み込むための固有の管理データ列を発行する発行手段と、
前記引用閲覧者が指示した場合、または、第２の閲覧データが他の閲覧者に閲覧された場合の少なくとも何れか一方の場合に、前記発行された管理データ列が組み込まれた第２の閲覧データの識別情報である第２識別情報を取得する第２取得手段と、
前記発行された管理データ列に基づいて、前記第１識別情報および前記第２識別情報をデータベースに登録する際の制御を行う登録制御手段と、
から構成され、
前記発行手段が、前記第２の閲覧データが他の閲覧データに引用される場合に発行される管理データ列の発行の基準となるデータ列であって、当該引用する他の閲覧データに基づく前記第１の閲覧データとの階層関係を示す階層情報を有するデータ列を、前記引用管理データとして、発行することを特徴とするデータ管理装置。
【請求項３】
請求項２に記載のデータ管理装置において、
前記発行手段が、
前記情報提供者の指示に基づいて、前記第１の閲覧データの識別情報毎に、当該第１の閲覧データに閲覧可能に組み込まれる固有のデータ列であって、前記第１の閲覧データが前記第２の閲覧データに引用される場合に発行される管理データ列の発行の基準となる基準管理データ列を発行することを特徴とするデータ管理装置。
【請求項４】
請求項２または３に記載のデータ管理装置において、
前記発行手段が、前記第２の閲覧データが閲覧者によって前記端末装置を介して閲覧された際に、当該第２の閲覧データにおける識別情報を前記データベースに登録するための指示が規定されているデータ列を、前記管理データ列として、発行するとともに、
前記第２取得手段が、前記端末装置によって前記第２の閲覧データにおける識別情報を前記データベースに登録する旨の指示を受信した場合に、当該第２の閲覧データにおける識別情報を取得することを特徴とするデータ管理装置。
【請求項５】
請求項２乃至４の何れか一項に記載のデータ管理装置において、
前記発行手段が、前記管理データ列が端末装置によって閲覧可能に読み込まれた場合に、前記端末装置が有するネットワーク上の位置を示すアドレス情報、当該端末装置が前記第２閲覧データにアクセスした際の時刻を示す時刻情報、当該第２閲覧データにアクセス指示を行った閲覧データの識別情報、当該第２閲覧データにアクセス指示を行った閲覧データの種別を示す種別情報の少なくとも何れか一の情報を前記データ管理装置に送信する旨の指示が規定されているデータ列を発行するとともに、
前記第２取得手段が、前記端末装置から送信された情報を取得し、前記登録制御手段が、前記取得された情報を前記データベースに前記管理データ列に対応付けて登録することを特徴とするデータ管理装置。
【請求項６】
請求項２乃至５の何れか一項に記載のデータ管理装置において、
前記管理データ列が、前記閲覧データが閲覧される際に可視化されるデータである場合に、
前記データ管理装置が、前記可視化された管理データ列を用いて閲覧データの引用を希望する閲覧者の指示を、前記端末装置を介して検出する検出手段を更に備え、
前記発行手段が、前記閲覧者の指示を検出した場合に、前記管理データ列を発行することを特徴とするデータ管理装置。
【請求項７】
請求項２乃至６の何れか一項に記載のデータ管理装置において、
前記登録制御手段によって前記データベースに前記閲覧データの識別情報が登録された際に、前記識別情報を引用された閲覧データに閲覧可能に組み込むために、
前記データ管理装置は、前記データ保有装置または前記閲覧データが閲覧される際に取り込まれる端末装置の少なくとも何れか一方に当該登録された識別情報を通知する通知手段を更に備えることを特徴とするデータ管理装置。
【請求項８】
請求項２乃至７の何れか一項に記載のデータ管理装置において、
前記発行手段が、前記発行される引用管理データ毎に他の管理データ列と判別するための前記階層情報を有する判別情報を生成するとともに、
前記登録制御手段が、前記判別情報とともに第１識別情報および第２識別情報を前記データベースに登録することを特徴とするデータ管理装置。
【請求項９】
請求項８に記載のデータ管理装置において、
前記発行手段が、前記判別情報を前記データ列に組み込んで前記管理データ列を発行することを特徴とするデータ管理装置。
【請求項１０】
請求項５に記載のデータ管理装置において、
前記データベースに登録されたアドレス情報、時刻情報、当該第２閲覧データにアクセス指示を行った閲覧データの識別情報、当該第２閲覧データにアクセス指示を行った閲覧データの種別を示す種別情報に基づいて、前記引用管理データ毎に、前記階層情報に対応付けて、第１の閲覧データまたは第２の閲覧データの少なくとも一方における閲覧状況を解析する解析手段を更に備えることを特徴とするデータ管理装置。
【請求項１１】
請求項１０に記載のデータ管理装置において、
前記解析手段における解析結果を可視化して出力する出力手段を更に備えることを特徴とするデータ管理装置。
【請求項１２】
情報提供者によって制作された閲覧者に閲覧させるための閲覧データを、他の閲覧データと識別するための識別情報に基づいて、管理するデータ管理システムにおいて、
前記情報提供者によって提供される第１の閲覧データの少なくとも一部が、当該第１の閲覧データの引用を希望する引用閲覧者によって提供される第２の閲覧データを構築するための要素として当該第２の閲覧データに閲覧可能に組み込まれた場合に、引用される第１の閲覧データまたは第２の閲覧データの少なくとも何れか一方における所定の引用状況を管理するデータ管理方法であって、
前記情報提供者または引用閲覧者の少なくても何れか一方の指示に基づいて、当該第１の閲覧データの識別情報である第１識別情報を取得する第１取得工程と、
前記第１の閲覧データから直接的にまたは間接的に第２の閲覧データに引用される際に、前記第２の閲覧データ毎に、前記第２の閲覧データに閲覧可能に組み込むための固有の管理データ列を発行する発行工程と、
前記引用閲覧者が指示した場合に、または、第２の閲覧データが他の閲覧者に閲覧された場合の少なくとも何れか一方の場合に、前記発行された管理データ列が組み込まれた第２の閲覧データの識別情報である第２識別情報を取得する第２取得工程と、
前記引用される第１の閲覧データまたは第２の閲覧データの少なくとも何れか一方を管理するために、前記発行された管理データ列に基づいて、前記第１識別情報および前記第２識別情報をデータベースに登録する際の制御を行う登録制御工程と、
を含み、
前記発行工程においては、前記第２の閲覧データが他の閲覧データに引用される場合に発行される管理データ列の発行の基準となるデータ列であって、当該引用する他の閲覧データに基づく前記第１の閲覧データとの階層関係を示す階層情報を有するデータ列を、前記引用管理データとして、発行することを特徴とするデータ管理方法。
【請求項１３】
情報提供者によって制作された閲覧者に閲覧させるための閲覧データを、他の閲覧データと識別するための識別情報に基づいて、管理するデータ管理システムにおいて、
コンピュータによって、前記情報提供者にて提供される第１の閲覧データの少なくとも一部が、当該第１の閲覧データの引用を希望する引用閲覧者にて提供される第２の閲覧データを構築するための要素として当該第２の閲覧データに閲覧可能に組み込まれた場合に、引用される第１の閲覧データまたは第２の閲覧データの少なくとも何れか一方における所定の引用状況を管理するデータ管理プログラムであって、
前記コンピュータを、
前記情報提供者または引用閲覧者の少なくても何れか一方の指示に基づいて、当該第１の閲覧データの識別情報である第１識別情報を取得する第１取得手段、
前記第１の閲覧データから直接的にまたは間接的に第２の閲覧データに引用される際に、前記第２の閲覧データ毎に、前記第２の閲覧データに閲覧可能に組み込むための固有の管理データ列を発行する発行手段、
前記引用閲覧者が指示した場合に、または、第２の閲覧データが他の閲覧者に閲覧された場合の少なくとも何れか一方の場合に、前記発行された管理データ列が組み込まれた第２の閲覧データの識別情報である第２識別情報を取得する第２取得手段、
前記引用される第１の閲覧データまたは第２の閲覧データの少なくとも何れか一方を管理するために、前記発行された管理データ列に基づいて、前記第１識別情報および前記第２識別情報をデータベースに登録する際の制御を行う登録制御手段、
として機能させるとともに、
前記第２の閲覧データが他の閲覧データに引用される場合に発行される管理データ列の発行の基準となるデータ列であって、当該引用する他の閲覧データに基づく前記第１の閲覧データとの階層関係を示す階層情報を有するデータ列を、前記引用管理データとして、発行する前記発行手段として機能させることを特徴とするデータ管理プログラム。
【請求項１４】
請求項１３に記載のデータ管理プログラムをコンピュータに読み取り可能に記録した記録媒体。
【発明の詳細な説明】
【技術分野】
【０００１】
本発明は、情報提供者によって制作された閲覧者に閲覧されるためのリソースデータを構築するための要素データを、閲覧者によって制作されたリソースデータを構築するために引用する場合に、引用元または引用経路などのリソースデータを管理するデータ管理システムに関する。
【背景技術】
【０００２】
近年、インターネットやコンピュータなどの通信技術の発達により、他のコンピュータに提供するリソースと呼ばれるデータ（以下、「リソースデータ」という。）をサーバ装置に保有させ、クライアントからのリクエストメッセージの指令に対するレスポンスとして当該リソースデータを返信し、ホームページの閲覧や所定のデータの提供を行う通信システムが普及している。
【０００３】
このような通信システムにおいては、当該通信システム内においてリソースデータの構造を共通化し、当該システムを構成するサーバ装置やパーソナルコンピュータに代表される端末装置においてもリソースデータを処理しうる環境を作り出すことが可能になっている。
【０００４】
従来、文書または画像などの要素データ（要素）をタグと呼ばれる識別子を用いてリソースデータとして構築するＨＴＭＬ（Hyper Text Markup Language）やＸＭＬ（eXtensible Markup Language）といったマークアップ言語が知られており、当該マークアップアップ言語によって記述されたＷｅｂページを、他の端末装置において閲覧可能なリソースデータとしてWWW（World Wide Web）システムを使ってインターネット上に公開し、閲覧を希望する閲覧者に提供することが一般的に普及している。
【０００５】
特に、最近では、Ｗｅｂページなどのリソースデータを提供して閲覧させる際に、当該Ｗｅｂページを閲覧したことを示すデータを、閲覧した第３者を特定するデータとともに、リソースデータに組み込むことによって、または、「書き込み」と呼ばれるＷｅｂページの所定の領域に閲覧者が作成して提供した文書を要素データとしてリソースデータに組み込むことによって、当該閲覧されるリソースデータを再構築する「ブログ」と呼ばれる通信技術が知られている。
【０００６】
また、このブログを利用した通信システムは、閲覧者が情報提供者におけるＷｅｂページを閲覧した際に、ＵＲＬ（Uniform Resource Locator）と呼ばれる当該Ｗｅｂページを構成するリソースデータが格納されているアドレスを示すデータを、閲覧者が提供するＷｅｂページなどのリソースデータに組み込み、または、情報提供者が閲覧データとして提供する情報の内容の概要を示す文書を要素データとして当該閲覧者が提供するリソースデータに組み込み、ＵＲＬのデータまたは情報提供者が提供する文書データが閲覧者におけるホームページなどに組み込まれたことを提供者に通知する機能（いわゆる「トラックバック機能」という。）を有している。
【０００７】
すなわち、当該通信システムは、情報提供者におけるＷｅｂページに閲覧者のコメントを提示すること、閲覧者におけるＷｅｂページに情報提供者のＷｅｂページのリンクを張ること、および、当該閲覧者におけるＷｅｂページに情報提供者における文書の引用を行うことができるようになっており、情報提供者によって提供された情報や意見に対するディスカッションを行う目的に利用でき、新しいコミュニケーションのツールとして用いられている。
【発明の開示】
【発明が解決しようとする課題】
【０００８】
しかしながら、このブログを用いた通信システムであっては、閲覧者における自己のリソースデータに情報提供者が作成した文書または画像などの要素データを直接的に引用した場合には、トラックバック機能によって情報提供者に閲覧者（例えば、「１次閲覧者」）が情報提供者における要素データを当該１次閲覧者が提供するリソースデータに組み込んだことを通知することが可能であるが、２次閲覧者が、自己のリソースデータに、情報提供者から提供された文書などの要素データを、１次閲覧者が提供するリソースデータから間接的に組み込んだ場合には、情報提供者に、２次閲覧者のリソースデータに引用したことを通知すること、および、当該引用したことの管理を行うことが困難である。
【０００９】
すなわち、ブログによって規定される通信技術には、リソースデータを閲覧する端末装置または当該リソースデータを保持するサーバ装置などの通信機器と一対一同士のみの通信によって行われる技術であるため、その他の通信機器と通信を行うことが想定されていない。
【００１０】
したがって、当該通信技術では、上述のように、第２次閲覧者によって第１次閲覧者を介して情報提供者が提供する要素データを自己のリソースデータに組み込んだ場合には、２次閲覧者と情報提供者間における端末装置またはサーバ装置間において通信を行うことができず、情報提供者においては、当該要素データを組み込んだことを通知されることもない。
【００１１】
また、このような通信システムでは、上述のように、２次閲覧者における要素データのリソースデータへの組み込みに関する通知を情報提供者に行うことが困難であるため、情報提供者においては、自己の要素データをどの閲覧者のリソースデータに組み込まれているかを把握することも難しい。
【００１２】
本願は、以上説明した事情に鑑みてなされたものであり、その課題の一例としては、２次閲覧者が、情報提供者が提供する要素データを間接的に自己のリソースデータに組み込んだ場合であっても、当該２次閲覧者がリソースデータを引用したことを確実に把握することができるとともに、リソースデータとして提供された情報の引用経路、話題性、発展性および展開性の把握を容易に行うことができるネットワークシステムおよびそのサーバ装置等を提供することを目的とする。
【課題を解決するための手段】
【００１３】
上記の課題を解決するために、請求項１に記載の発明は、情報提供者によって制作された閲覧者に閲覧させるための閲覧データを、他の閲覧データと識別するための識別情報に基づいて、管理するデータ管理システムであって、前記閲覧データを前記識別情報に対応付けて記録する記録手段を有し、端末装置からの指示に基づいて前記閲覧データを前記閲覧者に閲覧可能に提供する各データ保有装置と、前記情報提供者によって提供される第１の閲覧データの少なくとも一部が、当該第１の閲覧データの引用を希望する引用閲覧者によって提供される第２の閲覧データを構築するための要素として当該第２の閲覧データに閲覧可能に組み込まれた場合に、引用される第１の閲覧データまたは第２の閲覧データの少なくとも何れか一方における引用状況を管理するデータ管理装置と、を備え、前記データ管理装置が、前記情報提供者または前記引用閲覧者の少なくても何れか一方の指示に基づいて、当該第１の閲覧データの識別情報である第１識別情報を取得する第１取得手段と、前記第１の閲覧データから直接的にまたは間接的に第２の閲覧データに引用される際に、前記第２の閲覧データ毎に、前記第２の閲覧データに閲覧可能に組み込むための固有の管理データ列を発行する発行手段と、前記引用閲覧者が指示した場合、または、第２の閲覧データが他の閲覧者に閲覧された場合の少なくとも何れか一方の場合に、前記発行された管理データ列が組み込まれた第２の閲覧データの識別情報である第２識別情報を取得する第２取得手段と、前記発行された管理データ列に基づいて、前記第１識別情報および前記第２識別情報をデータベースに登録する際の制御を行う登録制御手段と、から構成され、前記発行手段が、前記第２の閲覧データが他の閲覧データに引用される場合に発行される管理データ列の発行の基準となるデータ列であって、当該引用する他の閲覧データに基づく前記第１の閲覧データとの階層関係を示す階層情報を有するデータ列を、前記引用管理データとして、発行する構成を有している。
【００１４】
この構成により、請求項１に記載の発明は、第２の閲覧データが他の閲覧データに引用される場合に発行される管理データ列の発行の基準となるデータ列であって、当該引用する他の閲覧データに基づく第１の閲覧データとの階層関係を示す階層情報を有するデータ列を、引用管理データとして、発行するとともに、発行された管理データ列に基づいて、第１識別情報および第２識別情報をデータベースに登録する際の制御を行う。
【００１５】
したがって、請求項１に記載の発明は、閲覧データが端末装置で閲覧される際に管理データ列によって引用管理されていることを明示することができるとともに、閲覧データを閲覧する閲覧者が引用を希望する場合には、引用管理データに基づいて、この引用管理データに従属する管理データ列を発行させることができる。
【００１６】
すなわち、請求項１に記載の発明は、閲覧データに対する引用管理を明示し、かつ、引用を希望する者に対して管理データ列を発行することから、当該引用希望者に対して閲覧データの適切な引用を促すこと、および、適切に引用させることができるとともに、閲覧データが他の閲覧データに引用される毎に閲覧データの識別情報が登録されることにより、閲覧データの引用先を容易に管理することができる。
【００１７】
また、請求項２に記載の発明は、情報提供者によって制作された閲覧者に閲覧させるための閲覧データを、他の閲覧データと識別するための識別情報に基づいて、管理するデータ管理システムにおいて、前記情報提供者によって提供される第１の閲覧データの少なくとも一部が、当該第１の閲覧データの引用を希望する引用閲覧者によって提供される第２の閲覧データを構築するための要素として当該第２の閲覧データに閲覧可能に組み込まれた場合に、引用される第１の閲覧データまたは第２の閲覧データの少なくとも何れか一方における引用状況を管理するデータ管理装置であって、前記情報提供者または前記引用閲覧者の少なくても何れか一方の指示に基づいて、当該第１の閲覧データの識別情報である第１識別情報を取得する第１取得手段と、前記第１の閲覧データから直接的にまたは間接的に第２の閲覧データに引用される際に、前記第２の閲覧データ毎に、前記第２の閲覧データに閲覧可能に組み込むための固有の管理データ列を発行する発行手段と、前記引用閲覧者が指示した場合、または、第２の閲覧データが他の閲覧者に閲覧された場合の少なくとも何れか一方の場合に、前記発行された管理データ列が組み込まれた第２の閲覧データの識別情報である第２識別情報を取得する第２取得手段と、前記発行された管理データ列に基づいて、前記第１識別情報および前記第２識別情報をデータベースに登録する際の制御を行う登録制御手段と、から構成され、前記発行手段が、前記第２の閲覧データが他の閲覧データに引用される場合に発行される管理データ列の発行の基準となるデータ列であって、当該引用する他の閲覧データに基づく前記第１の閲覧データとの階層関係を示す階層情報を有するデータ列を、前記引用管理データとして、発行する構成を有している。
【００１８】
この構成により、請求項２に記載の発明は、第２の閲覧データが他の閲覧データに引用される場合に発行される管理データ列の発行の基準となるデータ列であって、当該引用する他の閲覧データに基づく第１の閲覧データとの階層関係を示す階層情報を有するデータ列を、引用管理データとして、発行するとともに、発行された管理データ列に基づいて、前記第１識別情報および前記第２識別情報をデータベースに登録する際の制御を行う。
【００１９】
したがって、請求項２に記載の発明は、閲覧データが端末装置で閲覧される際に管理データ列によって引用管理されていることを明示することができるとともに、閲覧データを閲覧する閲覧者が引用を希望する場合には、引用管理データに基づいて、この引用管理データに従属する管理データ列を発行させることができる。
【００２０】
すなわち、請求項２に記載の発明は、閲覧データに対する引用管理を明示し、かつ、引用を希望する者に対して管理データ列を発行することから、当該引用希望者に対して閲覧データの適切な引用を促すこと、および、適切に引用させることができるとともに、閲覧データが他の閲覧データに引用される毎に閲覧データの識別情報が登録されることにより、閲覧データの引用先を容易に管理することができる。
【００２１】
また、請求項３に記載の発明は、請求項２に記載のデータ管理装置において、前記発行手段が、前記情報提供者の指示に基づいて、前記第１の閲覧データの識別情報毎に、当該第１の閲覧データに閲覧可能に組み込まれる固有のデータ列であって、前記第１の閲覧データが前記第２の閲覧データに引用される場合に発行される管理データ列の発行の基準となる基準管理データ列を発行する構成を有している。
【００２２】
この構成により、請求項３に記載の発明は、情報提供者の指示に基づいて、第１の閲覧データの識別情報毎に、当該第１の閲覧データに閲覧可能に組み込まれる固有のデータ列であって、第１の閲覧データが第２の閲覧データに引用される場合に発行される管理データ列の発行の基準となる基準管理データ列を発行する。
【００２３】
したがって、請求項３に記載の発明は、管理データ列の基準となる基準管理データ列を発行することによって、第１の閲覧データにおける引用管理を包括的に行うことができる。
【００２４】
また、請求項４に記載の発明は、請求項２または３に記載のデータ管理装置において、前記発行手段が、前記第２の閲覧データが閲覧者によって前記端末装置を介して閲覧された際に、当該第２の閲覧データにおける識別情報を前記データベースに登録するための指示が規定されているデータ列を、前記管理データ列として、発行するとともに、前記第２取得手段が、前記端末装置によって前記第２の閲覧データにおける識別情報を前記データベースに登録する旨の指示を受信した場合に、当該第２の閲覧データにおける識別情報を取得する構成を有している。
【００２５】
この構成により、請求項４に記載の発明は、閲覧者によって端末装置を介して閲覧された際に、当該端末装置と通信回線を確立させて当該第２の閲覧データにおける識別情報を取得する。
【００２６】
したがって、請求項４に記載の発明は、第１の閲覧データの少なくとも一部を引用する閲覧者においては第２の閲覧データの識別情報を登録する必要がなく、当該第２の閲覧データが閲覧されれば、当該識別情報が登録されるので、登録作業などの複雑な操作を行う必要がなく、閲覧データを提供する閲覧者の労力を低減することができる。
【００２７】
また、請求項５に記載の発明は、請求項２乃至４の何れか一項に記載のデータ管理装置において、前記発行手段が、前記管理データ列が端末装置によって閲覧可能に読み込まれた場合に、前記端末装置が有するネットワーク上の位置を示すアドレス情報、当該端末装置が前記第２閲覧データにアクセスした際の時刻を示す時刻情報、当該第２閲覧データにアクセス指示を行った閲覧データの識別情報、当該第２閲覧データにアクセス指示を行った閲覧データの種別を示す種別情報の少なくとも何れか一の情報を前記データ管理装置に送信する旨の指示が規定されているデータ列を発行するとともに、前記第２取得手段が、前記端末装置から送信された情報を取得し、前記登録制御手段が、前記取得された情報を前記データベースに前記管理データ列に対応付けて登録する構成を有している。
【００２８】
この構成により、請求項５に記載の発明は、端末装置から送信された端末装置が閲覧データを閲覧した際の当該閲覧に基づいてアドレス情報などの種々の情報を取得し、記取得された情報をデータベースに管理データ列に対応付けて登録する。
【００２９】
したがって、請求項５に記載の発明は、引用管理を行う閲覧データにおいて、閲覧者がアクセスした際のアドレス情報などの当該閲覧データを閲覧した際の当該閲覧に基づく情報によって、閲覧データにおけるアクセス解析を行うことができるとともに、広告提供サービス、ネットワークゲームまたは閲覧データにおける議論の展開など種々のネットワークサービスに用いることができる。
【００３０】
また、請求項６に記載の発明は、請求項２乃至５の何れか一項に記載のデータ管理装置において、前記管理データ列が、前記閲覧データが閲覧される際に可視化されるデータである場合に、前記データ管理装置が、前記可視化された管理データ列を用いて閲覧データの引用を希望する閲覧者の指示を、前記端末装置を介して検出する検出手段を更に備え、前記発行手段が、前記閲覧者の指示を検出した場合に、前記管理データ列を発行する構成を有している。
【００３１】
この構成により、請求項６に記載の発明は、可視化された管理データ列を用いて閲覧データの引用を希望する閲覧者の指示を、端末装置を介して検出し、閲覧者の指示を検出した場合に、管理データ列を発行するので、閲覧者の指示の検出および第２データ列の発行を的確に行うことができる。
【００３２】
また、請求項７に記載の発明は、請求項２乃至６の何れか一項に記載のデータ管理装置において、前記登録制御手段によって前記データベースに前記閲覧データの識別情報が登録された際に、前記識別情報を引用された閲覧データに閲覧可能に組み込むために、前記データ管理装置は、前記データ保有装置または前記閲覧データが閲覧される際に取り込まれる端末装置の少なくとも何れか一方に当該登録された識別情報を通知する通知手段を更に備える構成を有している。
【００３３】
この構成により、請求項７に記載の発明は、データベースに閲覧データの識別情報が登録された際に、通知された識別情報を引用された閲覧データに閲覧可能に組み込むために、当該登録された識別情報を通知するので、引用された閲覧データを閲覧することによっても引用先の閲覧データを把握することができる。
【００３４】
また、請求項８に記載の発明は、請求項２乃至７の何れか一項に記載のデータ管理装置において、前記発行手段が、前記発行される引用管理データ毎に他の管理データ列と判別するための前記階層情報を有する判別情報を生成するとともに、前記登録制御手段が、前記判別情報とともに第１識別情報および第２識別情報を前記データベースに登録する構成を有している。
【００３５】
この構成により、請求項８に記載の発明は、発行される引用管理データ毎に他の管理データ列と判別するための階層情報を有する判別情報を生成するとともに、当該判別情報とともに第１識別情報および第２識別情報をデータベースに登録するので、判別情報を簡易な文字列にすることによって容易にかつ的確に各識別情報を管理することができる。
【００３６】
また、請求項９に記載の発明は、請求項８に記載のデータ管理装置において、前記発行手段が、前記判別情報を前記データ列に組み込んで前記管理データ列を発行する構成を有している。
【００３７】
この構成により、請求項９に記載の発明は、判別情報をデータ列に組み込んで管理データ列を発行するので、容易にかつ的確に管理データ列を管理することができる。
【００３８】
また、請求項１０に記載の発明は、請求項５に記載のデータ管理装置において、前記データベースに登録されたアドレス情報、時刻情報、当該第２閲覧データにアクセス指示を行った閲覧データの識別情報、当該第２閲覧データにアクセス指示を行った閲覧データの種別を示す種別情報に基づいて、前記引用管理データ毎に、前記階層情報に対応付けて、第１の閲覧データまたは第２の閲覧データの少なくとも一方における閲覧状況を解析する解析手段を更に備える構成を有している。
【００３９】
この構成により、請求項１０に記載の発明は、データベースに登録されたアドレス情報、時刻情報、当該第２閲覧データにアクセス指示を行った閲覧データの識別情報、当該第２閲覧データにアクセス指示を行った閲覧データの種別を示す種別情報に基づいて、引用管理データ毎に、階層情報に対応付けて、第１の閲覧データまたは第２の閲覧データの少なくとも一方における閲覧状況を解析する。
【００４０】
したがって、この請求項１０に記載の発明は、引用管理を行う閲覧データ毎に当該閲覧データの引用関係を階層情報に対応付けて解析することができるので、広告提供サービス、ネットワークゲームまたは閲覧データにおける議論の展開など種々のネットワークサービスに用いることができる。
【００４１】
また、請求項１１に記載の発明は、請求項１０に記載のデータ管理装置において、前記解析手段における解析結果を可視化して出力する出力手段を更に備える構成を有している。
【００４２】
この構成により、請求項１１に記載の発明は、解析結果を可視化して出力するので、容易にかつ的確に解析結果を提供することができる。
【００４３】
また、請求項１２に記載の発明は、情報提供者によって制作された閲覧者に閲覧させるための閲覧データを、他の閲覧データと識別するための識別情報に基づいて、管理するデータ管理システムにおいて、前記情報提供者によって提供される第１の閲覧データの少なくとも一部が、当該第１の閲覧データの引用を希望する引用閲覧者によって提供される第２の閲覧データを構築するための要素として当該第２の閲覧データに閲覧可能に組み込まれた場合に、引用される第１の閲覧データまたは第２の閲覧データの少なくとも何れか一方における所定の引用状況を管理するデータ管理方法であって、前記情報提供者または引用閲覧者の少なくても何れか一方の指示に基づいて、当該第１の閲覧データの識別情報である第１識別情報を取得する第１取得工程と、前記第１の閲覧データから直接的にまたは間接的に第２の閲覧データに引用される際に、前記第２の閲覧データ毎に、前記第２の閲覧データに閲覧可能に組み込むための固有の管理データ列を発行する発行工程と、前記引用閲覧者が指示した場合に、または、第２の閲覧データが他の閲覧者に閲覧された場合の少なくとも何れか一方の場合に、前記発行された管理データ列が組み込まれた第２の閲覧データの識別情報である第２識別情報を取得する第２取得工程と、前記引用される第１の閲覧データまたは第２の閲覧データの少なくとも何れか一方を管理するために、前記発行された管理データ列に基づいて、前記第１識別情報および前記第２識別情報をデータベースに登録する際の制御を行う登録制御工程と、を含み、前記発行工程においては、前記第２の閲覧データが他の閲覧データに引用される場合に発行される管理データ列の発行の基準となるデータ列であって、当該引用する他の閲覧データに基づく前記第１の閲覧データとの階層関係を示す階層情報を有するデータ列を、前記引用管理データとして、発行する構成を有している。
【００４４】
この構成により、請求項１２に記載の発明は、第２の閲覧データが他の閲覧データに引用される場合に発行される管理データ列の発行の基準となるデータ列であって、当該引用する他の閲覧データに基づく第１の閲覧データとの階層関係を示す階層情報を有するデータ列を、引用管理データとして、発行するとともに、発行された管理データ列に基づいて、前記第１識別情報および前記第２識別情報をデータベースに登録する際の制御を行う。
【００４５】
したがって、請求項１２に記載の発明は、閲覧データが端末装置で閲覧される際に管理データ列によって引用管理されていることを明示することができるとともに、閲覧データを閲覧する閲覧者が引用を希望する場合には、引用管理データに基づいて、この引用管理データに従属する管理データ列を発行させることができる。
【００４６】
すなわち、請求項１２に記載の発明は、閲覧データに対する引用管理を明示し、かつ、引用を希望する者に対して管理データ列を発行することから、当該引用希望者に対して閲覧データの適切な引用を促すこと、および、適切に引用させることができるとともに、閲覧データが他の閲覧データに引用される毎に閲覧データの識別情報が登録されることにより、閲覧データの引用先を容易に管理することができる。
【００４７】
また、請求項１３または１４に記載の発明は、情報提供者によって制作された閲覧者に閲覧させるための閲覧データを、他の閲覧データと識別するための識別情報に基づいて、管理するデータ管理システムにおいて、コンピュータによって、前記情報提供者にて提供される第１の閲覧データの少なくとも一部が、当該第１の閲覧データの引用を希望する引用閲覧者にて提供される第２の閲覧データを構築するための要素として当該第２の閲覧データに閲覧可能に組み込まれた場合に、引用される第１の閲覧データまたは第２の閲覧データの少なくとも何れか一方における所定の引用状況を管理するデータ管理プログラムであって、前記コンピュータを、前記情報提供者または引用閲覧者の少なくても何れか一方の指示に基づいて、当該第１の閲覧データの識別情報である第１識別情報を取得する第１取得手段、前記第１の閲覧データから直接的にまたは間接的に第２の閲覧データに引用される際に、前記第２の閲覧データ毎に、前記第２の閲覧データに閲覧可能に組み込むための固有の管理データ列を発行する発行手段、前記引用閲覧者が指示した場合に、または、第２の閲覧データが他の閲覧者に閲覧された場合の少なくとも何れか一方の場合に、前記発行された管理データ列が組み込まれた第２の閲覧データの識別情報である第２識別情報を取得する第２取得手段、前記引用される第１の閲覧データまたは第２の閲覧データの少なくとも何れか一方を管理するために、前記発行された管理データ列に基づいて、前記第１識別情報および前記第２識別情報をデータベースに登録する際の制御を行う登録制御手段、として機能させるとともに、前記第２の閲覧データが他の閲覧データに引用される場合に発行される管理データ列の発行の基準となるデータ列であって、当該引用する他の閲覧データに基づく前記第１の閲覧データとの階層関係を示す階層情報を有するデータ列を、前記引用管理データとして、発行する前記発行手段として機能させる構成を有している。
【００４８】
この構成により、請求項１３または１４に記載の発明は、第２の閲覧データが他の閲覧データに引用される場合に発行される管理データ列の発行の基準となるデータ列であって、当該引用する他の閲覧データに基づく第１の閲覧データとの階層関係を示す階層情報を有するデータ列を、引用管理データとして、発行するとともに、発行された管理データ列に基づいて、前記第１識別情報および前記第２識別情報をデータベースに登録する際の制御を行う。
【００４９】
したがって、請求項１３または１４に記載の発明は、閲覧データが端末装置で閲覧される際に管理データ列によって引用管理されていることを明示することができるとともに、閲覧データを閲覧する閲覧者が引用を希望する場合には、引用管理データに基づいて、この引用管理データに従属する管理データ列を発行させることができる。
【００５０】
すなわち、請求項１３または１４に記載の発明は、閲覧データに対する引用管理を明示し、かつ、引用を希望する者に対して管理データ列を発行することから、当該引用希望者に対して閲覧データの適切な引用を促すこと、および、適切に引用させることができるとともに、閲覧データが他の閲覧データに引用される毎に閲覧データの識別情報が登録されることにより、閲覧データの引用先を容易に管理することができる。
【発明の効果】
【００５１】
本願発明は、閲覧データが端末装置で閲覧される際に管理データ列によって引用管理されていることを明示することができるとともに、閲覧データを閲覧する閲覧者が引用を希望する場合には、引用管理データに基づいて、この引用管理データに従属する管理データ列を発行させることができる。すなわち、本願発明は、閲覧データに対する引用管理を明示し、かつ、引用を希望する者に対して管理データ列を発行することから、当該引用希望者に対して閲覧データの適切な引用を促すこと、および、適切に引用させることができるとともに、閲覧データが他の閲覧データに引用される毎に閲覧データの識別情報が登録されることにより、閲覧データの引用先を容易に管理することができる。
【発明を実施するための最良の形態】
【００５２】
次に、本発明に好適な実施の形態について、図面に基づいて説明する。
【００５３】
以下に説明する実施の形態は、情報提供者が制作したＷｅｂページを構成するリソースデータ（以下、「Ｗｅｂページデータ」という。）の一部の文書または画像のデータ（以下、「要素データ」という。）が他のＷｅｂページデータに引用された際に当該要素データの引用を管理するルート管理サーバ装置およびそれが属するネットワークシステムに対して本願のデータ管理装置およびデータ管理システムを適用した場合の実施形態である。
〔第１実施形態〕
始めに、図１〜図１０を用いて本願に係るネットワークシステムの第１実施形態について説明する。
【００５４】
まず、図１に用いて本願のネットワークシステムの構成について説明する。なお、図１は、本願に係るネットワークシステムの構成を示す構成図である。
【００５５】
本実施形態のネットワークシステムＳは、図１に示すように、複数の端末装置１００と、情報提供者によって作成された閲覧者に閲覧させるための閲覧データであるＷｅｂページデータの保有および当該保有するＷｅｂページデータを閲覧者の端末装置１００に提供する複数のＷｅｂサーバ装置２００と、情報提供者の希望によりＷｅｂページデータの一部を構成する文書または画像などの要素データの引用管理を行うＷｅｂページデータとして登録された場合に、当該Ｗｅｂページデータが引用された他のＷｅｂページデータとの階層関係および経路（以下、「ルート」という。）を含めて引用管理を行うルート管理サーバ装置３００と、から構成されており、各端末装置１００、Ｗｅｂサーバ装置２００およびルート管理サーバ装置３００は、電話公衆網回線またはインターネットなどネットワークＮを介して互いに接続されている。
【００５６】
各端末装置１００は、ＰＣ（Personal Computer）やＰＤＡ（Personal Digital Assistants）、携帯用電話機等の通信端末装置１００にて構成され、リソースデータを読み込んで閲覧するためのアプリケーションプログラム（以下、「ブラウザ」という。）を搭載している。
【００５７】
特に、各端末装置１００は、このブラウザを起動させることによって、Ｗｅｂサーバ装置２００の保有するリソースデータによって構築されるＷｅｂページデータを取得し、当該各端末装置１００が備えるモニタなどの画面に当該Ｗｅｂページデータを表示するようになっている。
【００５８】
また、各端末装置１００は、このブラウザにより提供される機能を利用することによって、後述するように、ルート管理サーバ装置３００とデータ通信を行うようになっており、ルート管理サーバ装置３００から要求された各種のデータを当該ルート管理サーバ装置３００に送信するようになっている。
【００５９】
各Ｗｅｂサーバ装置２００は、各種のデータ形式を有するＷｅｂページデータを保有するサーバ装置であり、所定の通信規格に対応して種々のデータ通信を行うサーバ装置である。
【００６０】
このＷｅｂサーバ装置２００は、当該Ｗｅｂページデータを、他のＷｅｂサーバ装置２００に格納されたものを含め、他のＷｅｂページデータと識別し、ネットワークＮ上における格納場所を示すアドレス情報に基づいて、すなわち、ＵＲＬに基づいて、保有するＷｅｂページデータを管理するとともに、ＵＲＬが指定されると、当該指定されたＵＲＬに基づいて内部に保有するＷｅｂページデータであるリソースデータを、当該取得要求指令を発した端末装置１００に送信するようになっている。
【００６１】
ルート管理サーバ装置３００は、Ｗｅｂページデータを構成する要素データの引用管理を希望する情報提供者の指示に基づいて、または、当該Ｗｅｂページデータを構成する要素データの引用を希望する閲覧者の指示に基づいて、スクリプトなど、各Ｗｅｂページデータにリソースデータとして組み込むための固有のデータ列（以下、「管理データ列」という。）Ｄを発行するようになっている。
【００６２】
特に、本実施形態のルート管理サーバ装置３００は、情報提供者に対しては、基準となる管理データ列（以下、「基準管理データ列」という。）ＢＤを発行するとともに、引用を希望する閲覧者に対しては、当該基準管理データ列と異なる管理データ列（以下、「引用管理データ列」という。）ＣＤを発行するようになっている。また、このルート管理サーバ装置３００は、引用管理データ列ＣＤを発行する場合には、情報提供者のＷｅｂページデータ（以下、「ルートＷｅｂページデータ」という。）から引用する閲覧者のＷｅｂページデータまでの階層関係に基づいて固有の引用管理データ列ＣＤを発行するようになっている。
【００６３】
また、本実施形態のルート管理サーバ装置３００は、ルートＷｅｂページデータまたは要素データを引用したＷｅｂページデータ（以下、階層に関係なく要素データが引用することにより組み込まれたＷｅｂページデータを「引用Ｗｅｂページデータ」という。）が閲覧された場合に、組み込まれている引用管理データ列ＣＤに基づいて、引用管理を行う際に必要となる種々のデータを、当該引用Ｗｅｂページデータを読み込んだ端末装置１００から取得するようになっている。
【００６４】
一方、このルート管理サーバ装置３００は、引用管理データ列ＣＤが発行されると、引用管理データ列ＣＤ毎に、引用管理を行うルートＷｅｂページデータにおけるＵＲＬを示すデータ（以下、「ルートＵＲＬデータ」という。）と、当該引用ＷｅｂページデータにおけるＵＲＬを示すデータ（以下、「引用ＵＲＬデータ」という。）と、引用管理データ列ＣＤが端末装置１００に管理を行う際に必要となる後述するアクセスログに関するデータ（以下、「アクセスログデータ」という。）と、を、当該要素データを引用する際の階層関係に基づく階層構造を構築しつつ、データベースに登録するようになっている。
【００６５】
なお、例えば、本実施形態のＷｅｂサーバ装置２００は、本発明のデータ保有装置を構成し、ルート管理サーバ装置３００は、本発明のデータ管理装置を構成する。
【００６６】
次に、図２を用いて本実施形態のネットワークシステムＳにおけるシステム概要についてルート管理サーバ装置３００を基準に説明する。なお、図２は、本実施形態のネットワークシステムＳにおけるシステム概要を説明するための図である。
【００６７】
本実施形態のルート管理サーバ装置３００は、図２に示すように、基準管理データ列ＢＤの発行、引用管理データ列ＣＤの発行、引用ＵＲＬデータの登録およびアクセスログデータの登録を、情報提供者または各閲覧者の端末装置１００と通信を行いつつ、実行するようになっている。
【００６８】
具体的には、情報提供者が引用管理を希望するルートＷｅｂページデータを制作する際に、当該情報提供者が、情報提供者が用いる端末装置１００を介してルート管理サーバ装置３００に対して基準管理データ列ＢＤの発行を要求すると（基準管理データ列発行要求）、ルート管理サーバ装置３００は、基準管理データ列ＢＤを発行するための処理（以下、「基準管理データ列発行処理」という。）を行い、固有の基準管理データ列ＢＤを発行するようになっており、当該端末装置１００に発行された基準管理データ列ＢＤを提供するようになっている（基準管理データ列の送信）。
【００６９】
そして、情報提供者は、端末装置１００を介して、ルートＷｅｂページデータに、発行された基準管理データ列ＢＤのリソースデータを組み込み、すなわち、ルートＷｅｂページデータを制作すると、ルート管理サーバ装置３００に送信したＵＲＬデータに基づいて当該ルートＷｅｂページデータをＷｅｂサーバ装置２００に登録するようになっている（ルートＷｅｂページデータの登録）。
【００７０】
この基準管理データ列ＢＤとは、ルートＷｅｂページデータ毎に固有に発行される当該ルートＷｅｂページデータに組み込まれるリソースデータであり、後述するように、閲覧者が引用を希望する際の引用管理データ列ＣＤを発行する際に必要な文字列が記述されているデータ列である。また、この基準管理データ列ＢＤは、後述するように、発行ボタンなどのその一部が可視化されるように、構成されている。
【００７１】
なお、基準管理データ列発行要求をする場合には、情報提供者は、端末装置１００を介してルートＷｅｂページデータのＵＲＬをデータとしてルート管理サーバ装置３００に送信する必要があるが、情報提供者が端末装置１００に備えられたキーボードなどの入力Ｉ／Ｆを用いて当該ＵＲＬを入力するようにしてもよいし、ツールバーなどの端末装置１００がＷｅｂページデータを閲覧するブラウザに専用のプログラムアプリケーションを設けて行うようにしてもよい。
【００７２】
また、本実施形態において、専用のプログラムアプリケーションを用いる場合には、基準管理データ列ＢＤの発行指示、ＵＲＬの登録、および、発行された基準管理データ列ＢＤのルートＷｅｂページデータへの組み込み、を一連の動作によって行うようになっている。
【００７３】
一方、閲覧者が、端末装置１００を介してＵＲＬに基づいてルートＷｅｂページデータをＷｅｂサーバ装置２００から取得して当該端末装置１００に表示させた際に（ルートＷｅｂページデータの閲覧）、当該ルートＷｅｂページデータの引用を希望し、基準管理データ列ＢＤによって形成された端末装置１００上の指示に従って引用管理データ列ＣＤの発行を要求すると（引用管理データ列発行要求）、ルート管理サーバ装置３００は、引用管理データ列ＣＤを発行するための処理（以下、「引用管理データ列発行処理」という。）を実行するようになっている。
【００７４】
このとき、ルート管理サーバ装置３００は、引用管理データ列発行処理の指示を行う際に用いた基準管理データ列ＢＤに基づいて固有の引用管理データ列ＣＤを発行させ、当該端末装置１００に発行された引用管理データ列ＣＤを提供するようになっている。（引用管理データ列の送信）。
【００７５】
そして、閲覧者は、端末装置１００を介して引用Ｗｅｂページデータに発行された引用管理データ列ＣＤのリソースデータを組み込み、すなわち、引用Ｗｅｂページデータの制作を行い、所定のＵＲＬに基づいて当該ルートＷｅｂページデータをＷｅｂサーバ装置２００に登録するようになっている（引用Ｗｅｂページデータの登録）。
【００７６】
この引用管理データ列ＣＤとは、基準管理データ列ＢＤとは異なり、ルートＷｅｂページデータの要素の引用を希望する閲覧者に対して発行され、当該要素が引用されて製作される引用Ｗｅｂページデータに組み込まれるリソースデータである。
【００７７】
また、引用管理データ列ＣＤは、この後述するように、一部を除き、基準管理データ列ＢＤと同様な文字列を有し、すなわち、製作された引用Ｗｅｂページデータにおいて引用した要素データがさらに他の引用Ｗｅｂページデータに引用される場合に、当該他の引用Ｗｅｂページデータに組み込むための引用管理データ列ＣＤを発行する際に必要な文字列が記述されているデータ列である。
【００７８】
そして、この引用管理データ列ＣＤは、基準管理データ列ＣＤと同様に、後述するように、発行ボタンなどのその一部が可視化されるように、構成されている。
【００７９】
さらに、本実施形態では、基準管理データ列ＢＤまたは引用管理データ列ＣＤが組み込まれたＷｅｂページデータには、ルート管理サーバ装置３００から送信されたＵＲＬデータを表示するための「ティッカー」と呼ばれるリソースデータが組み込まれており、Ｗｅｂページデータが端末装置１００に読み込まれると、ルート管理サーバ装置３００からＷｅｂページデータ上に表示するためのデータ、例えば、引用ＷｅｂページデータのＵＲＬデータが通知され、端末装置１００に表示されるようになっている。
【００８０】
なお、本実施形態では、このティッカーが組み込まれていなくてもよい。また、このティッカーに関する処理の詳細については、第２実施形態にて説明する。
【００８１】
他方、閲覧者が端末装置１００を介してＵＲＬに基づいて引用ＷｅｂページデータをＷｅｂサーバ装置２００から取得して当該端末装置１００に表示させると（引用Ｗｅｂページデータの閲覧）、端末装置１００は、引用管理データ列ＣＤに基づいてルート管理サーバ装置３００と通信を行うとともに、当該ルート管理サーバ装置３００は、引用管理データ列ＣＤに基づいて、引用Ｗｅｂページデータにおける引用ＵＲＬデータを登録するための処理（以下、「引用ＵＲＬデータ登録処理」という。）と、端末装置１００におけるアクセスログデータを登録するための処理（以下、「アクセスログデータ登録処理」という。）と、を実行するようになっている（アクセスログデータの登録）。ただし、アクセスログデータの登録では、各アクセスログデータととともに、引用ＵＲＬデータを登録するようにしてもよい。
【００８２】
なお、ルート管理サーバ装置３００は、アクセスログデータの登録に関しては、ルートＷｅｂページデータが、閲覧者によって端末装置１００を介して閲覧された場合に、行うようになっている。
【００８３】
また、上述の説明では、引用管理データ列ＣＤの発行処理については、ルートＷｅｂページデータを閲覧する閲覧者によって行うようになっているが、引用Ｗｅｂページデータを閲覧する閲覧者が、引用管理データ列ＣＤが組み込まれた引用Ｗｅｂページデータに基づいて行う場合でも同じ動作となる。
【００８４】
次に、図３を用いて本実施形態のルート管理サーバ装置３００において発行されるデータ管理列について説明する。
【００８５】
なお、図３は、本実施形態のルート管理サーバ装置３００において発行されるデータ管理列の一例である。また、以下の説明では、ＪＡＶＡスクリプト（ＪＡＶＡＳＣＲＩＰＴ／登録商標：第４３１４４１３号）を用いたリソースデータを用いて基準管理データ列ＢＤについて説明する。
【００８６】
本実施形態の基準管理データ列ＢＤは、ＨＴＭＬ（Hyper Text Markup Language）などのマークアップ言語形式によって構成されたＷｅｂページデータに組み込むためのリソースデータであり、ルートＷｅｂページデータが閲覧されることによって、すなわち、端末装置１００においてブラウザに読み込まれたことによって、各引用管理データ列ＣＤの発行、アクセスログデータの登録などの指示を端末装置１００に行わせるための文字列である。
【００８７】
本実施形態の基準管理データ列ＢＤは、スクリプトの開始を示す開始データ列Ｄ１０と、ティッカー部分に所定のデータを表示するためのティッカー用データ列Ｄ２０と、引用管理データ列ＣＤを発行するための発行用データ列Ｄ３０と、アクセスログデータをルート管理サーバ装置３００に送信するためのアクセスログ用データ列Ｄ４０と、ルート管理サーバ装置３００にて提供される所定のデータを閲覧表示するための通信用データ列Ｄ５０と、所定の警告を行うための警告用データ列Ｄ６０と、から構成される。
【００８８】
ティッカー用データ列Ｄ２０には、所定の通信規格によってルート管理サーバ装置３００との通信回線を確立させ、当該ルート管理サーバ装置３００にて登録された当該ルートＷｅｂページデータが引用されたＷｅｂページデータのＵＲＬデータおよびその他のデータを、当該ルートＷｅｂページデータ上に閲覧可能に表示させるための文字列が記述されている。
【００８９】
例えば、このティッカー用データ列Ｄ２０は、図３に示すように、ルート管理サーバ装置３００において、ＡＡＡ．ｃｏｍ／ｉｎｄｅｘ．ｈｔｍに関連づけられて記録されているｈｙｏｕｊｉ．ｐｈｐのファイルと連動して、すなわち、当該ファイルによって規定されるルート管理サーバ装置３００の指示に従って、第２実施形態において説明するように、ルートＷｅｂページデータに閲覧可能に表示されるティッカー部分に、登録されたＵＲＬデータを表示するため文字列である。なお、この「ＡＡＡ．ｃｏｍ／ｉｎｄｅｘ．ｈｔｍ」が本実施形態におけるデータ列基準ＩＤを示す。
【００９０】
発行用データ列Ｄ３０には、各基準管理データ列ＢＤ毎に他のデータ列と判別するための固有の識別情報（判別情報ともいう。以下、「データ列基準ＩＤ」という。）が文字列として記述されており、当該データ列基準ＩＤに基づいて、所定の通信規格、例えば、ＨＴＴＰ（HyperText Transfer Protocol）によって通信回線が確立されたルート管理サーバ装置３００に引用管理データ列ＣＤを発行させる指示を示す文字列が記述されている。
【００９１】
例えば、この発行用データ列Ｄ３０は、図３に示すように、ルート管理サーバ装置３００において、ＡＡＡ．ｃｏｍ／ｉｎｄｅｘ．ｈｔｍに関連付けられて記憶されているｓｃｒｉｐｔｈａｋｋｏｕ．ｊｓのファイルと連動して、すなわち、当該ファイルによって規定されるルート管理サーバ装置３００の指示に従って、引用管理データ列ＣＤを発行させる指示を示す文字列が記述されている。
【００９２】
アクセスログ用データ列Ｄ４０には、後述するように所定の通信規格によってルート管理サーバ装置３００との通信回線を確立させ、当該ルート管理サーバ装置３００に、ルートＷｅｂページデータを読み込んだ際の端末装置１００または当該ルートＷｅｂページサーバ装置２００に関するデータをアクセスログとして登録するための文字列が記述されている。
【００９３】
例えば、このアクセスログ用データ列Ｄ４０は、図３に示すように、ルート管理サーバ装置３００において、ＡＡＡ．ｃｏｍ／ｉｎｄｅｘ．ｈｔｍに関連付けて記録されているａｃｃｅｓｓ．ｊｓのファイルと連動して、すなわち、当該ファイルによって規定されるルート管理サーバ装置３００の指示に従って、アクセスログデータを登録するための文字列が記述されている。
【００９４】
通信用データ列Ｄ５０は、可視化されたボタンがクリックされた場合に、ルート管理サーバ装置３００において、第２実施形態において説明されるように、登録されたアクセスログデータに基づいて解析された解析結果における種々のデータを端末装置１００にて閲覧可能に表示させるための文字列である。
【００９５】
例えば、この通信用データ列Ｄ５０は、図３に示すように、ルート管理サーバ装置３００において、ＡＡＡ．ｃｏｍ／ｉｎｄｅｘ．ｈｔｍに基づいて、所定の解析されたデータを取得するため、すなわち、当該ルートＷｅｂページデータに組み込まれている基準管理データ列ＢＤを示し、当該基準管理データ列ＢＤに基づく解析結果を示すデータを取得するための文字列である。
【００９６】
警告用データ列Ｄ６０には、ＪＡＶＡスクリプト（登録商標）が起動できない場合におけるその警告用のおよび当該スクリプトの起動方法を表示するための文字列である。
【００９７】
例えば、この警告用データ列Ｄ６０は、図３に示すように、ルート管理サーバ装置３００において、ＡＡＡ．ｃｏｍ／ｉｎｄｅｘ．ｈｔｍに対応付けて記録されているｒｏｕｔｅ．ｐｈｐのファイルと連動して、すなわち、当該ファイルによって規定されるルート管理サーバ装置３００の指示に従って、スクリプトが起動できないことを警告し、かつ、当該スクリプトの起動方法を表示するための文字列である。
【００９８】
なお、引用管理データ列ＣＤは、引用Ｗｅｂページデータに対して当該引用管理データ列ＣＤに対して従属する引用管理データ列ＣＤを発行するために形成されている点およびアクセスログ用データ列がＵＲＬデータ登録を行うためのデータ列としても機能する点を除き、基準管理データ列ＢＤと同一の構成を有している。ただし、引用管理データ列ＣＤにおける発行用データ列Ｄ３０には、各引用管理データ列ＣＤ毎に固有の識別情報（判別情報ともいう。以下、「データ列ＩＤ」という。）が記述されている。
【００９９】
以上のように、本実施形態では、引用管理データ列ＣＤの例としてスクリプトを用いて説明しているが、「Ｆｌａｓｈ」（登録商標／第４３３５０１７号）などリソースデータを用いてデータ列を構成するようにしてもよい。
【０１００】
次に、図４を用いて本実施形態におけるＷｅｂサーバ装置２００の構成について説明する。なお、図４は、本実施形態におけるＷｅｂサーバ装置２００の構成を示す構成図である。
【０１０１】
本実施形態のＷｅｂサーバ装置２００は、上述のような処理を行うため、図４に示すように、ネットワークＮを介してデータ通信を行うＷｅｂサーバ用通信制御部２１０と、Ｗｅｂページデータをアドレス情報に対応付けて格納するＷｅｂサーバ用データベース２２０と、各部の制御を行うＷｅｂサーバ用システム制御部２３０と、から構成されている。
【０１０２】
なお、例えば、本実施形態のＷｅｂサーバ用データベース２２０は、本発明の記録手段を構成する。
【０１０３】
Ｗｅｂサーバ用通信制御部２１０は、電話公衆網回線またはインターネットなどのネットワークＮに接続されるようになっており、Ｗｅｂサーバ用システム制御部２３０の制御の下、端末装置１００またはルート管理サーバ装置３００との通信回線を確立し、種々のデータの通信および当該データ通信に関する通信制御を行うようになっている。
【０１０４】
具体的には、このＷｅｂサーバ用通信制御部２１０は、ＨＴＴＰなどの通信規格に対応して種々のデータ通信を行うようになっており、情報提供者または閲覧者の指示として端末装置１００を介してＨＴＭＬなどのマークアップ言語形式によって構成されたＷｅｂページデータの送受信を行うようになっている。
【０１０５】
特に、このＷｅｂサーバ用通信制御部２１０は、端末装置１００その他の装置からＨＴＴＰのＧＥＴ要求などネットワークＮを介してＵＲＬに基づくＷｅｂページデータの取得要求指令を受信すると、ＵＲＬに基づいてＷｅｂサーバ用データベース２２０からＷｅｂページデータであるリソースデータを取得し、当該取得したリソースデータを、レスポンスとして、当該取得要求指令を発した端末装置１００その他の装置に送信するようになっている。
【０１０６】
Ｗｅｂサーバ用データベース２２０は、Ｗｅｂサーバ装置２００が保有するリソースデータをＵＲＬに対応付けて格納するためのデータベースであり、Ｗｅｂサーバ用システム制御部２３０の制御の下、通信制御部の指示に基づいて、ＵＲＬに対応するＷｅｂページデータを抽出してＷｅｂサーバ用通信制御部２１０に出力するようになっている。
【０１０７】
Ｗｅｂサーバ用システム制御部２３０は、例えば、ＣＰＵ、ＲＯＭ、ＲＡＭおよびハードディスクを有し、Ｗｅｂサーバ装置２００の各部を制御するようになっている。特に、ＲＯＭには、Ｗｅｂサーバ装置２００の各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理を実行し、ＲＡＭはワークエリアとして用いられるようになっている。
【０１０８】
次に、図５を用いて本実施形態におけるルート管理サーバ装置３００の構成について説明する。なお、図５は、本実施形態におけるルート管理サーバ装置３００の構成を示す構成図である。
【０１０９】
本実施形態のルート管理サーバ装置３００は、上述のような処理を行うため、図５に示すように、ネットワークＮを介してデータ通信を行うルート管理サーバ用通信制御部３１０と、基準管理データ列ＢＤおよび引用管理データ列ＣＤを発行する管理データ列発行部３２０と、各引用管理データ列ＣＤおよびルートＵＲＬデータに対応付けて引用管理を行う際に必要となる種々のデータを記憶するルート管理サーバ用データベース３３０と、各部の制御を行うルート管理サーバ用システム制御部３４０と、から構成される。
【０１１０】
なお、例えば、本実施形態のルート管理サーバ用通信制御部３１０は、本発明の第１取得手段、第２取得手段を構成し、管理データ列発行部３２０は、本発明の発行手段および検出手段を構成する。また、例えば、本実施形態のルート管理サーバ用データベース３３０は、本発明のデータベースを構成し、ルート管理サーバ用システム制御部３４０は、本発明の登録制御手段を構成する。
【０１１１】
ルート管理サーバ用通信制御部３１０は、電話公衆網回線またはインターネットなどのネットワークＮに接続されるようになっており、ルート管理サーバ用システム制御部３４０の制御の下、端末装置１００またはＷｅｂサーバ装置２００との通信回線を確立し、種々のデータの通信および当該データ通信に関する通信制御を行うようになっている。
【０１１２】
具体的には、このルート管理サーバ用通信制御部３１０は、端末装置１００から送信された各管理データ列Ｄの発行指示の受信、発行された各管理データ列Ｄの送信、および、各管理データ列Ｄに対応付けて引用管理を行う際に必要となる種々のデータの送受信と、当該各データの送受信を行うための通信制御と、を実行するようになっている。
【０１１３】
特に、本実施形態のルート管理サーバ用通信制御部３１０は、ルート管理サーバ用システム制御部３４０の制御の下、引用Ｗｅｂページデータが閲覧されることによって、すなわち、端末装置１００のブラウザに読み込まれたことによって、当該引用管理データ列ＣＤに基づいて端末装置１００から通信回線の確立要求が為された場合に、当該通信回線を確立するとともに、引用管理を行う際に必要となる種々のデータを受信し、当該受信したデータをルート管理サーバ用データベース３３０に登録するルートＵＲＬデータ登録処理およびアクセスログデータ登録処理を行うようになっている。
【０１１４】
管理データ列発行部３２０は、上述のように、端末装置１００を介して入力されたルートＷｅｂページデータを構成する要素データの引用管理を希望する情報提供者の指示に基づいて、ルートＷｅｂページデータ毎に、各ルートＷｅｂページデータにリソースデータとして組み込むための固有の基準管理データ列ＢＤを、後述するように、ルート管理用サーバ用システム制御部３４０によって付与されたデータ列基準ＩＤまたはデータ列ＩＤに基づいて発行する基準管理データ列発行処理および引用管理データ列発行処理を行うようになっている。
【０１１５】
また、管理データ列発行部３２０は、情報提供者におけるルートＷｅｂページデータを構築する要素データの引用を希望する閲覧者（以下、「１次閲覧者」という。）の指示が端末装置１００を介して入力されると、ルートＷｅｂページデータにおいて組み込まれている基準管理データ列ＢＤに基づいて、１次閲覧者が他の閲覧者（以下、「２次閲覧者」という。）に提供する引用Ｗｅｂページデータに組み込むための引用管理データ列ＣＤを発行するようになっている。このとき、この管理データ列発行部３２０は、引用管理データ列ＣＤとして、当該引用管理データ列ＣＤが発行される毎に、基準管理データ列ＢＤに関連付けられた固有の引用管理データ列ＣＤを発行するようになっている。
【０１１６】
さらに、この管理データ列発行部３２０は、２次閲覧者以降の閲覧者が提供する引用Ｗｅｂページデータにおいて、情報提供者におけるルートＷｅｂページデータを構築する要素データの引用を希望する閲覧者に対しても、順次、引用管理データ列ＣＤを発行するようになっている。
【０１１７】
特に、この管理データ列発行部３２０は、各引用管理データ列ＣＤとしては、当該要素データを引用する際の階層関係に基づく階層構造、すなわち、要素データを組み込む元の引用Ｗｅｂページデータから順次ルートＷｅｂページデータまでの階層関係に基づく階層構造を規定するデータ列を発行するようになっている。
【０１１８】
すなわち、この管理データ列発行部３２０は、発行される引用管理データ列ＣＤが組み込まれた引用Ｗｅｂページデータが端末装置１００のブラウザに読み込まれて他の閲覧者（例えば、２次閲覧者）が閲覧した場合であって、当該閲覧者が当該引用管理データ列ＣＤに従属する引用管理データ列ＣＤの発行を希望した場合に、閲覧者の端末装置１００と管理データ列発行部３２０との通信回線を確立させ、かつ、当該発行される引用管理データ列に従属する引用管理データ列の発行を指示するデータを当該端末装置１００から管理データ列発行部３２０に送信するための指令が規定されたデータ列を、引用管理データ列ＣＤとして、発行するようになっている。
【０１１９】
なお、本実施形態の管理データ列発行部３２０は、ＨＴＴＰにおける通信の下、端末装置１００によって指示された「データ列基準ＩＤ」または「データ列ＩＤ」に基づいて各制御を行うようになっている。
【０１２０】
ルート管理サーバ用データベース３３０は、ルート管理サーバ装置３００が保有する引用管理データ列ＣＤ、それに対応する各ＵＲＬデータおよびその他のデータを格納するためのデータベースであり、ルート管理サーバ用システム制御部３４０の制御の下、ルート管理サーバ用通信制御部３１０または管理データ列発行部３２０の指示に基づいて、データ領域の確保と、各データの登録および抽出とを行うようになっている。
【０１２１】
なお、本実施形態におけるルート管理サーバ用データベース３３０に格納される各種のデータの詳細については、後述する。
【０１２２】
ルート管理サーバ用システム制御部３４０は、例えば、ＣＰＵ、ＲＯＭ、ＲＡＭおよびハードディスクを有し、ルート管理サーバ装置３００の各部を制御するようになっている。特に、ＲＯＭには、Ｗｅｂサーバ装置２００の各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理を実行し、ＲＡＭはワークエリアとして用いられるようになっている。
【０１２３】
特に、本実施形態では、ルート管理サーバ用システム制御部３４０は、基準管理データ列ＢＤが発行される毎に、ルート管理サーバ用データベース３３０に、当該基準管理データ列ＢＤに対応するデータを登録するための記録領域を確保し、管理データ列発行部３２０の指示、または、ルート管理サーバ用通信制御部３１０にて受信されたデータに基づいて、各種のデータのルート管理サーバ用データベース３３０における登録制御を行うようになっている。
【０１２４】
次に、図６を用いて本実施形態におけるルート管理サーバ用データベース３３０について説明する。
【０１２５】
なお、図６は、本実施形態のルート管理サーバ装置３００が有するルート管理サーバ用データベース３３０に記憶されるデータの一例である。また、以下のデータベース３３０に記憶されるデータの説明では、当該説明を簡単にするために、データ列基準ＩＤおよびデータ列ＩＤの標記に関しては、ＵＲＬ形式ではなく、「ＡＡＡ」または「ＡＡＡ−１」等の単純な符号の組合せを用いて行う。
【０１２６】
本実施形態のルート管理サーバ用データベース３３０には、基準管理データ列ＢＤが発行される毎に、当該基準管理データ列ＢＤに対応するデータ列基準ＩＤおよび当該引用管理を行うためのＷｅｂページデータのＵＲＬデータと、当該基準管理データ列ＢＤを基準に発行される引用管理データ列ＣＤに対応するデータ列ＩＤと、当該引用管理データ列ＣＤが組み込まれたＷｅｂページデータのＵＲＬデータと、が登録されるようになっている。
【０１２７】
特に、本実施形態では、ルート管理サーバ用システム制御部３４０の制御に基づいて、データ列基準ＩＤ毎に、当該データ列基準ＩＤに基づいて、当該要素データを引用する際の階層関係に基づく階層構造を示すための各データ列ＩＤがルート管理サーバ用データベース３３０に登録されるようになっている。
【０１２８】
また、データ列基準ＩＤおよびデータ列ＩＤは、それぞれ、管理データ列発行部３２０において基準管理データ列ＢＤまたは引用管理データ列ＣＤが発行される毎に、ルート管理サーバ用システム制御部３４０によって付与され、ルート管理サーバ用データベース３３０に登録されるとともに、当該発行された引用管理データ列ＣＤに基づいてルート管理サーバ用通信制御部３１０がＵＲＬデータなどの種々のデータを受信すると、当該ルート管理サーバ用通信制御部３１０は、データ列基準ＩＤおよびデータ列ＩＤを参照しつつ、種々のデータをルート管理サーバ用データベース３３０に登録するようになっている。
【０１２９】
例えば、図６に示すように、管理データ列発行部３２０にてルートＵＲＬデータ「ｈｔｔｐ：／／○○○．ｃｏｍ／ｉｎｄｅｘ．ｈｔｍ」を有するルートＷｅｂページデータにおいて、基準管理データ列ＢＤが発行され、当該基準管理データ列ＢＤのデータ列基準ＩＤとして「ＡＡＡ」が付与されている場合に、ルートＷｅｂページデータに基づいて引用Ｗｅｂページデータを構築するための引用管理データ列ＣＤが発行されると、当該引用管理データ列ＣＤが発行される毎に、「ＡＡＡ−１」、「ＡＡＡ−２」「ＡＡＡ−３」、・・・・・とデータ列ＩＤが登録されるとともに、当該引用管理データ列ＣＤが組み込まれた引用Ｗｅｂページデータの引用ＵＲＬデータが「ｈｔｔｐ：／／△△△．ｃｏ．ｊｐ／ｐ２．ｈｔｍ」や「ｈｔｔｐ：／／□□□．ｎｅｔ／ｔｏｐ．ｈｔｍ」などそれぞれ登録されるようになっている。
【０１３０】
また、１次の引用Ｗｅｂページデータに基づいて２次の引用Ｗｅｂページデータを構築するための引用管理データ列ＣＤが発行されると、当該引用管理データ列ＣＤが発行される毎に、１次の引用Ｗｅｂページデータを基準に「ＡＡＡ−１−１」、「ＡＡＡ−１−２」または「ＡＡＡ−２−１」、・・・・・とデータ列ＩＤが登録されるとともに、当該引用管理データ列ＣＤが組み込まれた引用Ｗｅｂページデータの引用ＵＲＬデータが「ｈｔｔｐ：／／○×□．ｃｏｍ／ｃｏｍｍｅｎｔ．ｈｔｍ」や「ｈｔｔｐ：／／×○×．ｃｏｍ／ｄｉａｒｙ．ｈｔｍ」などそれぞれ登録されるようになっている。
【０１３１】
なお、２次の引用Ｗｅｂページデータに基づいて、３次以降の引用Ｗｅｂページデータを構築するための引用管理データ列ＣＤが発行される場合についても、上述と同様にデータ列ＩＤと引用ＵＲＬデータが登録されるようになっている。
【０１３２】
一方、ルート管理サーバ用データベース３３０には、各データ列基準ＩＤおよびデータ列ＩＤに対応付けて、基準管理データ列ＢＤが組み込まれたルートＷｅｂページデータと引用管理データ列ＣＤが組み込まれた引用Ｗｅｂページデータとが端末装置１００にアクセスされた際のログ、すなわち、各Ｗｅｂページデータを端末装置１００のブラウザに読み込まれた際の当該端末装置１００に関するアクセスログデータが登録されるようになっている。
【０１３３】
具体的には、本実施形態のルート管理サーバ用データベース３３０には、Ｗｅｂページデータを読み込んだ端末装置１００のネットワークＮ上の通信プロトコル上のアドレス情報（例えば、ＩＰ（internet protocol）アドレス）、当該Ｗｅｂページデータを読み込む前に閲覧していたＷｅｂページデータのＵＲＬを示すＵＲＬデータ、Ｗｅｂページデータの種別、Ｗｅｂページデータの種別に関するデータ、端末装置１００において使用されているブラウザおよび当該端末装置１００において使用されているＯＳをアクセスログとして登録されるようになっている。
【０１３４】
なお、Ｗｅｂページデータの種別としては、ネットワークＮ上において目的とするＷｅｂページデータを探すためにデータベース的な役割を果たす検索プログラム（いわゆる、検索エンジン）が搭載されたＷｅｂページデータか、それ以外のＷｅｂページデータかなどの種別を示し、Ｗｅｂページデータの種別に関するデータとしては、検索エンジンが搭載されたＷｅｂページデータにおける検索されたキーワードを示すデータを示す。
【０１３５】
次に、図７を用いて本実施形態のルート管理サーバ装置３００における基準管理データ列発行処理について説明する。なお、図７は、本実施形態のルート管理サーバ装置３００における基準管理データ列発行処理の動作を示すフローチャートである。
【０１３６】
以下の説明では、スクリプト形式のリソースデータとして基準管理データ列ＢＤを発行する場合について説明するとともに、基準管理データ列ＢＤを組み込むルートＷｅｂページデータは制作されているものとする。
【０１３７】
まず、情報提供者がネットワークＮを介して自己の端末装置１００とルート管理サーバ装置３００との通信回線を確立させるとともに、ルート管理サーバ装置３００に引用管理を希望するルートＷＥＢページデータにおける基準管理データ列ＢＤの発行を指示し、当該ルート管理サーバ用システム制御部３４０が当該指示を検出すると（ステップＳ１０１）、当該ルート管理サーバ用システム制御部３４０は、ルート管理サーバ用通信制御部３１０を介して端末装置１００にルートＷＥＢページデータのＵＲＬデータの入力を指示する旨のデータを送信し、当該データの入力を待機する（ステップＳ１０２）。
【０１３８】
次いで、ルート管理サーバ用システム制御部３４０は、ルート管理サーバ用通信制御部３１０を介して端末装置１００からルートＷＥＢページデータのＵＲＬデータを受信すると（ステップＳ１０３）、当該受信したＵＲＬデータが未だに管理サーバ用データベースに登録されているかなどの当該ＵＲＬデータにおける登録における適格性の処理および基準管理データ列ＢＤの発行に関するため処理などの所定の事前処理を行う（ステップＳ１０４）。
【０１３９】
次いで、ルート管理サーバ用システム制御部３４０は、管理データ列発行部３２０に、当該ルートＵＲＬデータに基づいて、データ列基準ＩＤを生成させ（ステップＳ１０５）、当該生成されたデータ列基準ＩＤが組み込まれた基準管理データ列ＢＤを発行させる（ステップＳ１０６）。
【０１４０】
次いで、ルート管理サーバ用システム制御部３４０は、ルート管理サーバ用通信制御部３１０に、発行させた基準管理データ列ＢＤを端末装置１００に対して送信させ（ステップＳ１０７）、当該端末装置１００との通信回線を遮断させる（ステップＳ１０８）。
【０１４１】
次いで、ルート管理サーバ用システム制御部３４０は、生成されたデータ列基準ＩＤに基づくデータベースに所定の領域を確保するとともに、当該データ列基準ＩＤと取得されたルートＷＥＢページデータのＵＲＬデータをルート管理サーバ用データベース３３０に登録するなどの事後処理を行い（ステップＳ１０９）、本動作を終了させる。
【０１４２】
なお、情報提供者は、端末装置１００によって送信された基準管理データ列ＢＤを受信すると、当該受信された基準管理データ列ＢＤをルートＷｅｂページデータに組み込み、当該組み込まれたルートＷｅｂページデータを登録時に送信したルートＵＲＬデータに対応付けてＷｅｂサーバ装置２００に登録する。
【０１４３】
次に、図８を用いて本実施形態のルート管理サーバ装置３００における引用管理データ列発行処理について説明する。なお、図８は、本実施形態のルート管理サーバ装置３００における基準管理データ列発行処理の動作を示すフローチャートである。
【０１４４】
以下の説明において、基準管理データ列発行処理と同様に、スクリプト形式のリソースデータとして引用管理データ列ＣＤを発行する場合について説明するとともに、引用管理データ列ＣＤを組み込む引用Ｗｅｂページデータは制作されているものとする。
【０１４５】
また、ルートＷｅｂページデータに基づいて引用管理データ列ＣＤを発行する場合を用いて説明するものとし、閲覧者が引用を希望するルートＷｅｂページデータには基準管理データ列ＢＤが組み込まれているものとする。
【０１４６】
まず、閲覧者がネットワークＮを介して自己の端末装置１００とルート管理サーバ装置３００との通信回線を確立させるとともに、ルート管理サーバ装置３００に引用管理を希望するルートＷＥＢページデータまたは引用Ｗｅｂページデータに属する引用管理データ列ＣＤの発行を指示し、ルート管理サーバ用システム制御部３４０が当該指示を検出すると（ステップＳ１２１）、当該ルート管理サーバ用システム制御部３４０は、当該引用を希望するルートＷｅｂページデータの基準管理データ列ＢＤを識別するためのデータ、すなわち、データ列基準ＩＤを取得する（ステップＳ１２２）。
【０１４７】
なお、閲覧者における端末装置１００は、当該閲覧者がルートＷｅｂページデータの引用を希望し、当該Ｗｅｂページデータに基準管理データ列ＢＤがブラウザに読み込まれることによって形成された端末装置１００の画面上のボタンがクリックされた場合に、当該基準管理データ列ＢＤに従って、ルート管理サーバ装置３００との通信回線を確立するとともに、引用管理を希望する引用ＷＥＢページデータにおける引用管理データ列ＣＤの発行をルート管理サーバ装置３００に指示する
次いで、ルート管理サーバ用システム制御部３４０は、取得されたデータ列基準ＩＤに基づいて、当該引用を希望するルートＷｅｂページデータの基準管理データ列ＢＤが既に発行されているか否か、および、引用管理データ列ＣＤを発行する場合の階層関係などの引用管理データ列ＣＤを発行する上での事前処理を行う（ステップＳ１２３）。
【０１４８】
次いで、ルート管理サーバ用システム制御部３４０は、管理データ列発行部３２０に、取得されたデータ列基準ＩＤに基づいて、データ列ＩＤを生成させるとともに（ステップＳ１２４）、生成されたデータ列ＩＤが組み込まれた引用管理データ列ＣＤを発行させる（ステップＳ１２５）。
【０１４９】
次いで、ルート管理サーバ用システム制御部３４０は、ルート管理サーバ用通信制御部３１０に、発行させた引用管理データ列ＣＤを端末装置１００に対して送信させ（ステップＳ１２６）、当該端末装置１００との通信回線を遮断させる（ステップＳ１２７）。
【０１５０】
次いで、ルート管理サーバ用システム制御部３４０は、取得されたデータ列ＩＤに基づいて、生成されたデータ列ＩＤをルート管理サーバ用データベース３３０に登録し（ステップＳ１２８）、本動作を終了させる。
【０１５１】
なお、引用を希望した閲覧者は、端末装置１００によって送信された引用管理データ列ＣＤを受信すると、当該受信された引用管理理データ列ＣＤを引用Ｗｅｂページデータに組み込み、当該組み込まれた引用Ｗｅｂページデータを所定のＵＲＬに対応付けてＷｅｂサーバ装置２００に登録する。
【０１５２】
次に、図９を用いて本実施形態のルート管理サーバ装置３００における引用ＵＲＬデータ登録処理について説明する。なお、図９は、本実施形態のルート管理サーバ装置３００における引用ＵＲＬデータ登録処理の動作を示すフローチャートである。
【０１５３】
以下の説明において、閲覧者が閲覧する引用Ｗｅｂページデータに組み込むための引用管理データ列ＣＤが既に発行されているものとし、当該発行された引用管理データ列ＣＤが組み込まれた引用ＷｅｂページデータがＷｅｂサーバ装置２００に既に登録されているものとする。
【０１５４】
また、閲覧者における端末装置１００は、ブラウザによって引用Ｗｅｂページデータを読み込むと、当該引用Ｗｅｂページデータに組み込まれた引用管理データ列ＣＤに従って、ルート管理サーバ装置３００との通信回線を確立するとともに、引用ＵＲＬデータを登録する旨をルート管理サーバ装置３００に指示するようになっている。
【０１５５】
まず、閲覧者の端末装置１００によって、ルート管理サーバ装置３００との通信回線を確立させるとともに、引用ＵＲＬデータを登録する旨の指示をし、ルート管理サーバ用システム制御部３４０が当該指示を検出すると（ステップＳ１４１）、当該ルート管理サーバ用システム制御部３４０は、Ｗｅｂページデータの引用管理データ列ＣＤを識別するためのデータ、すなわち、データ列ＩＤを取得する（ステップＳ１４２）。
【０１５６】
次いで、ルート管理サーバ用システム制御部３４０は、取得されたデータ列ＩＤに基づいて、閲覧されている引用Ｗｅｂページデータの引用管理データ列ＣＤが既に発行されているか否かなど引用ＵＲＬデータを登録する上での事前処理を行う（ステップＳ１４３）。
【０１５７】
次いで、ルート管理サーバ用システム制御部３４０は、ルート管理サーバ用通信制御部３１０を介して端末装置１００に引用ＷＥＢページデータの引用ＵＲＬデータの送信指示を示すデータを送信し、当該データの受信を待機する（ステップＳ１４４）。
【０１５８】
次いで、ルート管理サーバ用システム制御部３４０は、ルート管理サーバ用通信制御部３１０を介して端末装置１００から引用ＷＥＢページデータの引用ＵＲＬデータを受信すると（ステップＳ１４５）、ルート管理サーバ用システム制御部３４０は、当該受信した引用ＵＲＬデータが未だに管理サーバ用データベースに登録されているか否かを判断する（ステップＳ１４６）。
【０１５９】
このとき、ルート管理サーバ用システム制御部３４０が、当該受信した引用ＵＲＬデータが未だ管理サーバ用データベースに登録されていないと判断した場合には、当該ルート管理サーバ用システム制御部３４０は、データ列ＩＤに基づいて、取得された引用ＵＲＬデータを生成されたデータ列ＩＤをルート管理サーバ用データベース３３０に登録する（ステップＳ１４７）。
【０１６０】
次いで、ルート管理サーバ用システム制御部３４０は、端末装置１００との通信回線を遮断させ（ステップＳ１４８）、本動作を終了させる。
【０１６１】
一方、ルート管理サーバ用システム制御部３４０が、当該受信した引用ＵＲＬデータが既に管理サーバ用データベースに登録されていると判断した場合には、端末装置１００との通信回線を遮断させ（ステップＳ１４８）、本動作を終了する。
【０１６２】
次に、図１０を用いて本実施形態のルート管理サーバ装置３００におけるアクセスログデータ登録処理について説明する。なお、図１０は、本実施形態のルート管理サーバ装置３００におけるアクセスログデータ登録処理の動作を示すフローチャートである。
【０１６３】
以下の説明において、閲覧者が閲覧するルートＷｅｂページデータまたは引用Ｗｅｂページデータに組み込むための基準管理データ列ＢＤまたは引用管理データ列ＣＤが既に発行されているものとし、当該発行された基準管理データ列ＢＤまたは引用管理データ列ＣＤが組み込まれたＷｅｂページデータがＷｅｂサーバ装置２００に既に登録されているものとする。
【０１６４】
また、閲覧者における端末装置１００は、ブラウザによって引用Ｗｅｂページデータを読み込むと、当該引用Ｗｅｂページデータに組み込まれた引用管理データ列ＣＤに従って、ルート管理サーバ装置３００との通信回線を確立するとともに、アクセスログデータを登録する旨をルート管理サーバ装置３００に指示するようになっている。
【０１６５】
まず、閲覧者の端末装置１００によって、ルート管理サーバ装置３００との通信回線を確立させるとともに、アクセスログデータを登録する旨の指示をし、ルート管理サーバ用システム制御部３４０が当該指示を検出すると（ステップＳ１６１）、当該ルート管理サーバ用システム制御部３４０は、当該引用を希望するＷｅｂページデータの引用管理データ列ＣＤを識別するためのデータ、すなわち、データ列基準ＩＤまたはデータ列ＩＤを取得する（ステップＳ１６２）。
【０１６６】
次いで、ルート管理サーバ用システム制御部３４０は、取得されたデータ列ＩＤに基づいて、閲覧されている引用Ｗｅｂページデータの引用管理データ列ＣＤが既に発行されているか否かなどアクセスログデータを登録する上での事前処理を行う（ステップＳ１６３）。
【０１６７】
次いで、ルート管理サーバ用システム制御部３４０は、ルート管理サーバ用通信制御部３１０を介して端末装置１００に引用ＷＥＢページデータのアクセスログデータの送信指示を示すデータを送信し、当該データの受信を待機する（ステップＳ１６４）。
【０１６８】
次いで、ルート管理サーバ用システム制御部３４０は、ルート管理サーバ用通信制御部３１０を介して端末装置１００から引用ＷＥＢページデータのアクセスログデータを受信すると（ステップＳ１６５）、ルート管理サーバ用システム制御部３４０は、データ列ＩＤに基づいて、当該受信されたアクセスログデータをルート管理サーバ用データベース３３０に登録する（ステップＳ１６６）。
【０１６９】
次いで、ルート管理サーバ用システム制御部３４０は、端末装置１００との通信回線を遮断させ（ステップＳ１６７）、本動作を終了させる。
【０１７０】
以上本実施形態のネットワークシステムＳは、ルートＷｅｂページデータおよび引用Ｗｅｂページデータが端末装置１００にて閲覧される際に、基準管理データ列ＢＤまたは引用管理データ列ＣＤによって引用管理されていることを明示することができるとともに、閲覧者においては引用を希望する場合には、ルートＷｅｂページデータに基づいて引用管理データ列ＣＤを発行させることができ、かつ、結果としてルートＷｅｂページデータが引用される毎に引用ＷｅｂページデータのＵＲＬデータが登録されるので、ルートＷｅｂページデータの引用先を容易に管理することができる。
【０１７１】
また、本実施形態のネットワークシステムＳは、ルートＷｅｂページデータの少なくとも一部を引用する閲覧者において、引用ＷｅｂページデータのＵＲＬデータを登録する必要がなく、当該引用Ｗｅｂページデータが閲覧されれば、当該ＵＲＬデータが登録されるので、登録作業などの複雑な操作を行う必要がなく、引用する閲覧者の労力を低減することができる。
【０１７２】
本実施形態のネットワークシステムＳは、ルートＷｅｂページデータおよび引用管理を行う引用Ｗｅｂページデータにおいて、閲覧データを閲覧した際の当該閲覧に基づく情報によって、閲覧データにおけるアクセス解析を行うことができるとともに、広告提供サービス、ネットワークゲームまたは閲覧データにおける議論の展開など種々のネットワークサービスに用いることができる。なお、このネットワークサービスについては第２実施形態において説明する。
【０１７３】
また、本実施形態のネットワークシステムＳは、可視化された基準管理データ列ＢＤまたは引用管理データ列ＣＤの各管理データ列Ｄを用いて、当該管理データ列ＤをＷｅｂページデータとともに閲覧する閲覧者の指示を、端末装置１００を介して検出し、当該閲覧者の指示を検出した場合に、引用管理データ列ＣＤを発行するので、閲覧者の指示の検出および引用管理データ列ＣＤの発行を的確に行うことができる。
【０１７４】
なお、本実施形態では、情報提供者または閲覧者が発行された管理データ列Ｄをリソースデータとして組み込み、Ｗｅｂページデータを制作し、Ｗｅｂサーバ装置２００に登録するようになっているが、勿論、ルート管理サーバ装置３００が発行された引用管理データ列ＣＤを直接Ｗｅｂサーバ装置２００とデータ通信を行い、引用を行うＷｅｂページデータに組み込むようにしてもよい。
【０１７５】
また、本実施形態の引用管理データ列発行処理では、ルートＷｅｂページデータに組み込まれた基準管理データ列ＢＤに基づいて、引用管理データ列ＣＤを発行するようになっているが、基準管理データ列ＢＤが組み込まれていないＷｅｂページデータに対して行うようにしてもよい。
【０１７６】
この場合には、引用Ｗｅｂページデータを閲覧しているブラウザに、引用管理データを発行するためのツールバーなどのプログラムを組み込み、当該プログラムを用いて基準管理データ列ＢＤの発行と同様の処理を行うようにする。
【０１７７】
また、本実施形態では、引用ＵＲＬデータを当該引用Ｗｅｂページデータが閲覧された際に、この引用Ｗｅｂページデータを閲覧した閲覧者の端末装置１００によって、引用ＵＲＬデータが登録されるようになっているが、勿論、引用管理データ列ＣＤが発行される際に、引用管理データ列ＣＤの発行を指示した閲覧者によって、端末装置１００を操作することによってＵＲＬデータを入力し、ルート管理用データベースに登録するようにしてもよい。
【０１７８】
また、本実施形態のルート管理サーバ装置３００は、基準管理データ列発行処理、引用管理データ列発行処理、引用ＵＲＬデータ登録処理およびアクセスログデータ登録処理を行うようになっているが、ルート管理サーバ装置３００にコンピュータおよび記録媒体を備え、この基準管理データ列発行処理、引用管理データ列発行処理、引用ＵＲＬデータ登録処理およびアクセスログデータ登録処理を実行する制御プログラムを格納し、このコンピュータで当該各制御プログラムを読み込むことによって上述と同様の各処理を行うようにしてもよい。
【０１７９】
また、本実施形態では、Ｗｅｂページデータ毎に引用管理を行うようになっているが、勿論、一のＷｅｂページデータにおける各要素データ毎に引用管理を行うようにしてもよい。
〔第２実施形態〕
次に、図１１を用いて本願に係るネットワークシステムの第２実施形態について説明する。
【０１８０】
本実施形態のネットワークシステムは、第１実施形態のルート管理サーバ装置において登録されたアクセスログデータの解析を行う点に特徴があり、その他の点は、第１実施形態と同様であるため、同一の部材については同一の符号を付してその説明を省略する。
【０１８１】
次に、図１１を用いて本実施形態におけるルート管理サーバ装置の構成について説明する。なお、図１１は、本実施形態におけるルート管理サーバ装置の構成を示す構成図である。
【０１８２】
本実施形態のルート管理サーバ装置４００は、図１１に示すように、ルート管理サーバ用通信制御部３１０と、管理データ列発行部３２０と、ルート管理サーバ用データベース３３０と、各部の制御を行うルート管理サーバ用システム制御部３４０と、情報提供者などの端末装置１００を介して入力された指示に基づいて、登録されたアクセスデータの解析を行うアクセスログデータ解析部４１０と、解析結果に基づいて種々のデータの提供または通知を行う解析データ制御部４２０と、から構成される。
【０１８３】
アクセスログデータ解析部４１０は、基準管理データ列ＢＤが発行された、すなわち、引用管理を行っているルートＷｅｂページデータを提供している情報提供者などの所定の指示が端末装置１００を介してルート管理サーバ装置４００に通知された場合に、当該端末装置１００からの指示に基づいてアクセスログデータを解析し、当該解析結果を指示された端末装置１００にルート管理サーバ用通信制御部３１０を介して提供するようになっている。
【０１８４】
具体的には、このアクセスログデータ解析部４１０は、以下のデータを生成するようになっており、生成された各種のデータを提示するようになっている。
（１）ルートＷｅｂページデータにおいて引用管理データが発行された引用ＷｅｂページデータのＵＲＬデータを、階層関係を示しつつ一覧表のデータ（以下、「階層一覧表データ」という。）を生成すること。
（２）当該階層一覧表データを矢印によってルートおよび閲覧量が可視化されたグラフデータ（以下、「ルートグラフデータ」という。）として生成すること、
（３）引用管理データを発行された順序に対応付けられたＵＲＬデータの一覧表のデータ（以下、「順序一覧表データ」という。）の生成または特定の順序におけるＵＲＬデータを提示するためのデータを生成すること。
（４）ルートＷｅｂページデータにおいて引用管理データが発行された引用Ｗｅｂページデータの閲覧量、すなわち、種々の端末装置１００によって閲覧された回数のデータ（以下、「回数データ」という。）を生成すること。
（５）当該回数データを上述の一覧表グラフデータに組み込んだグラフデータ（以下、「回数データ付きグラフデータ」という。）として生成すること。
（６）ルートＷｅｂページデータまたは各引用Ｗｅｂデータを閲覧した端末装置１００の解析、すなわち、当該端末装置１００におけるＩＰアドレス、閲覧時間、当該Ｗｅｂページデータを閲覧する前後のＷｅｂページデータにおけるＵＲＬデータ、当該Ｗｅｂページデータの種別およびＷｅｂページデータの種別に関するデータ、閲覧しているブラウザの種別などの端末装置１００に関する各種のデータを集計し、所定のデータを生成すること。
【０１８５】
なお、例えば、アクセスログデータ解析部４１０は、ルートグラフデータとしては、データ列基準ＩＤおよびデータ列ＩＤに基づいて、各Ｗｅｂページデータにおける引用関係を矢印で結びつけることによって階層を表現するとともに、各Ｗｅｂページデータにおける閲覧量を２次元的に、３次元的にまたは種々の図形を用いて表現するデータを生成するようになっている。
【０１８６】
また、本実施形態のルート管理サーバ用データベース３３０には、端末装置１００の解析を行う上で必要な各種のデータが登録されているものとする。また、Ｗｅｂページデータの種別に関するデータには、第１実施形態と同様に、キーワードなどのデータが含まれる。
【０１８７】
さらに、各一覧表データまたはグラフデータには、引用されている要素データの要約をデータ列基準ＩＤまたはデータ列ＩＤに対応付けてテキストとして表示するように構成してもよい。
【０１８８】
解析データ制御部４２０は、基準管理データ列ＢＤが組み込まれたルートＷｅｂページデータまたは引用管理データ列ＣＤが組み込まれた引用Ｗｅｂページデータに予め組み込まれた「ティッカー」と呼ばれるリソースデータに基づいて、当該リソースデータに基づいて当該Ｗｅｂページデータを閲覧している端末装置１００に当該Ｗｅｂページデータ上に所定のデータを提供するようになっている。
【０１８９】
具体的には、本実施形態の解析データ制御部４２０は、組み込まれた基準管理データ列ＢＤまたは引用管理データ列ＣＤとティカーに基づいて、ルート管理サーバ用データベース３３０に登録されたＵＲＬデータまたは解析結果に基づいて生成されたデータなどの各種のデータを通知するようになっている。すなわち、本実施形態の解析データ制御部４２０は、ティッカーが組み込まれたルートＷｅｂページデータまたは引用Ｗｅｂページデータが閲覧者によって端末装置１００に読み込まれた場合に、当該端末装置１００においてＷｅｂページデータ上に閲覧可能に、種々のデータを当該端末装置１００に提供するようになっている。
【０１９０】
例えば、解析データ制御部４２０は、ティッカーに基づいて、引用先のＷｅｂページデータのＵＲＬデータ、商品その他の広告に関するデータ、Ｗｅｂページデータにおける内容に追加する記事のデータ、ＩＰアドレスに対応付けてまたは引用回数に対応付けたデータ、引用順位に対応付けたデータなど各種のデータを、各Ｗｅｂページデータを閲覧している閲覧者の端末装置１００に提供するようになっている。
【０１９１】
なお、本実施形態のルート管理サーバ用データベース３３０には、解析データ制御部４２０によって提供される各種のデータが予め登録されているものとする。
【０１９２】
以上本実施形態のネットワークシステムＳは、第１実施形態と同様に、ルートＷｅｂページデータおよび引用Ｗｅｂページデータが端末装置１００にて閲覧される際に、基準管理データ列ＢＤまたは引用管理データ列ＣＤによって引用管理されていることを明示することができるとともに、閲覧者においては引用を希望する場合には、ルートＷｅｂページデータに基づいて引用管理データ列ＣＤを発行させることができ、かつ、結果としてルートＷｅｂページデータが引用される毎に引用ＷｅｂページデータのＵＲＬデータが登録されるので、ルートＷｅｂページデータの引用先を容易に管理することができる。
【０１９３】
本実施形態のネットワークシステムＳは、ルートＷｅｂページデータおよび引用管理を行うルートＷｅｂページデータにおいて、閲覧データを閲覧した際の当該閲覧に基づく情報によって、閲覧データにおけるアクセス解析を行うことができるとともに、広告提供サービス、ネットワークゲームまたは閲覧データにおける議論の展開など種々のネットワークサービスに用いることができる。
【０１９４】
また、本実施形態のネットワークシステムＳは、ルート管理サーバ用データベース３３０に引用を行った引用ＷｅｂページデータのＵＲＬデータが登録された際に、登録されＵＲＬデータをルートＷｅｂページデータまたは引用Ｗｅｂページデータに閲覧可能に組み込むために、当該登録されたＵＲＬデータを通知するので、ルートＷｅｂページデータまたは引用Ｗｅｂページデータにおいても引用された先のＷｅｂページデータを把握することができる。
【０１９５】
また、本実施形態の解析データ制御部４２０は、ティッカーによって解析された種々のデータを端末装置１００に提供しているが、ＲＳＳ（Resource description framework Site Summary）などの所定の情報を任意の端末装置１００に提供する技術を用いて解析された種々のデータを提供するようにしてもよい。
【０１９６】
また、本実施形態では、Ｗｅｂページデータ毎に引用管理を行うようになっているが、勿論、一のＷｅｂページデータにおける各要素データ毎に引用管理を行うようにしてもよい。
【図面の簡単な説明】
【０１９７】
【図１】本願に係る第１実施形態のネットワークシステムの構成を示す構成図である。
【図２】第１実施形態のネットワークシステムにおけるシステム概要を説明するための図である。
【図３】第１実施形態のルート管理サーバ装置において発行されるデータ管理列の一例である。
【図４】第１実施形態におけるＷｅｂサーバ装置の構成を示す構成図である。
【図５】第１実施形態におけるルート管理サーバ装置の構成を示す構成図である。
【図６】第１実施形態のＷｅｂサーバ装置が有するデータベースに記憶されるデータの一例である。
【図７】第１実施形態のルート管理サーバ装置における基準管理データ列発行処理の動作を示すフローチャートである。
【図８】第１実施形態のルート管理サーバ装置における基準管理データ列発行処理の動作を示すフローチャートである。
【図９】第１実施形態のルート管理サーバ装置における引用ＵＲＬデータ登録処理の動作を示すフローチャートである。
【図１０】第１実施形態のルート管理サーバ装置におけるアクセスログデータ登録処理の動作を示すフローチャートである。
【図１１】第２実施形態におけるルート管理サーバ装置の構成を示す構成図である。
【符号の説明】
【０１９８】
Ｓ  …  ネットワークシステム
１００  …  端末装置
２００  …  Ｗｅｂサーバ装置
２１０  …  Ｗｅｂサーバ用通信制御部
２２０  …  Ｗｅｂサーバ用データベース
２３０  …  Ｗｅｂサーバ用システム制御部
３００、４００  …  ルート管理サーバ装置
３１０  …  ルート管理サーバ用通信制御部
３２０  …  管理データ列発行部
３３０  …  ルート管理サーバ用データベース
３４０  …  ルート管理サーバ用システム制御部
４１０  …  アクセスデータ解析部
４２０  …  解析データ制御部
【図１】
2007102693.tif 000003
【図２】
2007102693.tif 000004
【図３】
2007102693.tif 000005
【図４】
2007102693.tif 000006
【図５】
2007102693.tif 000007
【図６】
2007102693.tif 000008
【図７】
2007102693.tif 000009
【図８】
2007102693.tif 000010
【図９】
2007102693.tif 000011
【図１０】
2007102693.tif 000012
【図１１】
2007102693.tif 000013